(57)【要約】【課題】各植物栽培空間の栽培環境情報を精度良く検出すること。【解決手段】環境診断システム１９は、検出部２１と、検出部に電力を供給する電源部２４と、検出部によって検出された栽培環境情報を栽培環境管理装置へ無線で伝送する無線伝送部２２と、を含む診断ユニット２０を備えている。診断ユニットは、任意の植物栽培空間１３ｋに対して移動可能に配置されている。これによれば、診断ユニットが、任意の植物栽培空間に対して移動することにより、各植物栽培空間の栽培環境情報が検出部により検出される。よって、従来技術のように、室内空間の複数箇所にセンサを複数設置する場合に比べて、各植物栽培空間の栽培環境情報が精度良く検出される。【選択図】図３
2018191650.tif 000002
【特許請求の範囲】
【請求項１】
栽培室内に設置される栽培棚に対して複数の栽培容器が配置されており、
前記栽培棚の各段の載置部において各栽培容器が配置されることでそれぞれ形成される植物栽培空間の栽培環境情報を検出する検出部と、前記検出部に電力を供給する電源部と、前記検出部によって検出された栽培環境情報を、前記栽培環境情報を管理する栽培環境管理装置へ無線で伝送する無線伝送部と、を含む診断ユニットを備え、
前記診断ユニットは、任意の植物栽培空間に対して移動可能に配置されており、
前記栽培環境管理装置は、前記無線伝送部から伝送される栽培環境情報から前記検出部が前記栽培環境情報を検出した位置を特定することを特徴とする環境診断システム。
【請求項２】
前記診断ユニットは、定期的に移動可能に配置されており、前記栽培環境管理装置は、前記栽培環境情報の受信時間から前記検出部が前記栽培環境情報を検出した位置を特定することを特徴とする請求項１に記載の環境診断システム。
【請求項３】
前記栽培容器は、前記栽培棚に対して移動可能に配置されており、
前記診断ユニットが、前記栽培容器と並設した状態で前記任意の植物栽培空間に対して定期的に移動することを特徴とする請求項１又は請求項２に記載の環境診断システム。
【請求項４】
前記栽培容器は、前記栽培棚に対して固定して配置されており、
前記診断ユニットが、前記栽培容器に隣接した状態で前記任意の植物栽培空間に対して定期的に移動することを特徴とする請求項１又は請求項２に記載の環境診断システム。
【請求項５】
前記検出部は、複数のセンサと、前記複数のセンサを一括して制御可能であり、且つ前記複数のセンサからの信号に基づいて前記栽培環境情報を検出する制御部と、を含むことを特徴とする請求項１〜請求項４のいずれか一項に記載の環境診断システム。
【請求項６】
前記診断ユニットは、前記検出部によって検出された栽培環境情報を記憶する記憶部を含むことを特徴とする請求項１〜請求項５のいずれか一項に記載の環境診断システム。
【請求項７】
前記検出部にカメラを用いて、前記栽培環境管理装置がカメラによって撮影された栽培環境情報である画像に基づいて、各植物栽培空間の栽培環境が植物の栽培に適した環境であるか否かを分析することを特徴とする請求項１〜請求項６のいずれか一項に記載の環境診断システム。
【発明の詳細な説明】
【技術分野】
【０００１】
本発明は、植物の栽培環境を診断する環境診断システムに関する。
【背景技術】
【０００２】
野菜や果実、花木等の植物を室外で栽培すると、天候の変化によっては、植物の成長に悪影響を及ぼすことがあるため、最近では、天候の変化の影響を受けない室内空間（栽培室）で植物を栽培する植物工場が実用化されている。植物工場の栽培室内には、植物を収容する栽培容器を一方向に所定の間隔をおいて配置可能な栽培棚が設置されている。
【０００３】
ところで、植物を安定的に栽培するためには、温度、湿度、照度、二酸化炭素濃度等を栽培環境に適した値に調節し、栽培室内の栽培環境を適正なものに保つことが必要である。そこで、例えば、栽培室内の複数箇所に、温度、湿度、照度、二酸化炭素濃度等の栽培環境情報を検出する各種センサを複数設置し、各種センサにより、栽培室内の複数箇所の栽培環境情報を検出する。そして、各種センサにより検出された栽培環境情報に基づいて、栽培室内の栽培環境が適正なものに保たれるように、栽培室内の栽培環境を制御する（例えば特許文献１参照）。
【先行技術文献】
【特許文献】
【０００４】
【特許文献１】特開２０１１−３４２４８号公報
【発明の概要】
【発明が解決しようとする課題】
【０００５】
しかしながら、栽培室内の複数箇所に複数設置された各種センサでは、栽培棚において各栽培容器が配置される植物栽培空間の栽培環境情報を精度良く検出することができない。よって、各植物栽培空間の温度、湿度、照度、二酸化炭素濃度等が栽培環境に適した値になっていない虞がある。各植物栽培空間の温度、湿度、照度、二酸化炭素濃度等が栽培環境に適した値になっていないと、各栽培容器に収容された植物を安定的に栽培することができない。
【０００６】
本発明は、上記課題を解決するためになされたものであって、その目的は、各植物栽培空間の栽培環境情報を精度良く検出することができる環境診断システムを提供することにある。
【課題を解決するための手段】
【０００７】
上記課題を解決する環境診断システムは、栽培室内に設置される栽培棚に対して複数の栽培容器が配置されており、前記栽培棚の各段の載置部において各栽培容器が配置されることでそれぞれ形成される植物栽培空間の栽培環境情報を検出する検出部と、前記検出部に電力を供給する電源部と、前記検出部によって検出された栽培環境情報を、前記栽培環境情報を管理する栽培環境管理装置へ無線で伝送する無線伝送部と、を含む診断ユニットを備え、前記診断ユニットは、任意の植物栽培空間に対して移動可能に配置されており、前記栽培環境管理装置は、前記無線伝送部から伝送される栽培環境情報から前記検出部が前記栽培環境情報を検出した位置を特定する。ここで、「栽培環境情報」とは、植物栽培空間の温度、湿度、照度、二酸化炭素濃度や、それらが測定された位置や時間の情報を含めたものを言う。
【０００８】
上記環境診断システムにおいて、前記診断ユニットは、定期的に移動可能に配置されており、前記栽培環境管理装置は、前記栽培環境情報の受信時間から前記検出部が前記栽培環境情報を検出した位置を特定することが好ましい。
【０００９】
上記環境診断システムにおいて、前記栽培容器は、前記栽培棚に対して移動可能に配置されており、前記診断ユニットが、前記栽培容器と並設した状態で前記任意の植物栽培空間に対して定期的に移動することが好ましい。
【００１０】
上記環境診断システムにおいて、前記栽培容器は、前記栽培棚に対して固定して配置されており、前記診断ユニットが、前記栽培容器に隣接した状態で前記任意の植物栽培空間に対して定期的に移動することが好ましい。
【００１１】
上記環境診断システムにおいて、前記検出部は、複数のセンサと、前記複数のセンサを一括して制御可能であり、且つ前記複数のセンサからの信号に基づいて前記栽培環境情報を検出する制御部と、を含むことが好ましい。
【００１２】
上記環境診断システムにおいて、前記診断ユニットは、前記検出部によって検出された栽培環境情報を記憶する記憶部を含むことが好ましい。
上記環境診断システムにおいて、前記検出部にカメラを用いて、前記栽培環境管理装置がカメラによって撮影された栽培環境情報である画像に基づいて、各植物栽培空間の栽培環境が植物の栽培に適した環境であるか否かを分析することが好ましい。
【発明の効果】
【００１３】
この発明によれば、各植物栽培空間の栽培環境情報を精度良く検出することができる。
【図面の簡単な説明】
【００１４】
【図１】実施形態における植物工場の栽培室内を示す模式図。
【図２】環境診断システムの全体構成を模式的に示すブロック図。
【図３】診断ユニットの周辺を拡大して示す模式図。
【図４】別の実施形態における診断ユニットの周辺を拡大して示す模式図。
【図５】別の実施形態における環境診断システムの全体構成を模式的に示すブロック図。
【図６】別の実施形態における植物工場の栽培室内を示す模式図。
【発明を実施するための形態】
【００１５】
以下、環境診断システムを具体化した一実施形態を図１〜図３にしたがって説明する。本実施形態の環境診断システムは、植物栽培装置の栽培棚において形成される植物栽培空間の栽培環境を診断するものである。
【００１６】
まず、植物栽培装置１０について説明する。
図１に示すように、植物栽培装置１０は、植物工場１１の栽培室１２内に設置される多段式の栽培棚１３を複数備えている。なお、図１では、説明の都合上、紙面手前の栽培棚１３に関して詳細に説明し、その他の栽培棚１３については二点鎖線で示してそれらの栽培棚１３に関する詳細な説明を省略する。なお、本実施形態において、各栽培棚１３に関する構成は全て同じ構成である。
【００１７】
栽培棚１３における上下方向に対して直交する第１の方向を栽培棚１３の左右方向とし、栽培棚１３における上下方向に対して直交し、且つ左右方向に対しても直交する第２の方向を栽培棚１３の奥行方向とすると、栽培棚１３の左右方向の長さは、栽培棚１３の奥行方向の長さよりも長くなっている。栽培棚１３における左右方向の両側方、及び栽培棚１３における奥行方向の両側方は開放している。
【００１８】
植物工場１１は、二酸化炭素ガスボンベ１１ａを備えている。二酸化炭素ガスボンベ１１ａは、図示しない圧力調整器、制御弁が配置された導入配管１１ｂを介して栽培室１２内に連通している。そして、二酸化炭素ガスボンベ１１ａから導入配管１１ｂを介して栽培室１２内へ二酸化炭素ガスの導入が行われている。よって、栽培室１２内の空気には、二酸化炭素が混合されている。また、栽培室１２内には、栽培室１２内の温度を調整する空調装置１２ａと、栽培室１２内の湿度を調整する加湿器１２ｂとが設けられている。栽培室１２内は、空調装置１２ａによって温度が調整され、加湿器１２ｂによって湿度が調整されている。
【００１９】
栽培棚１３の各段には、植物１５（例えば野菜や果実、花木等）を収容する栽培容器１６（栽培パレット）が複数設けられている。複数の栽培容器１６は、栽培棚１３の各段において、左右方向（一方向）に所定の間隔をおいて配置されている。そして、栽培棚１３には、各栽培容器１６が配置される植物栽培空間１３ｋがそれぞれ形成されている。したがって、栽培棚１３の各段には、植物栽培空間１３ｋが左右方向に所定の間隔をおいて複数形成されている。各植物栽培空間１３ｋは、栽培棚１３において予め定められた位置に形成された空間である。なお、栽培棚１３の奥行方向には、栽培容器１６は複数並設されていない。よって、栽培棚１３の左右方向の長さは、栽培容器１６が複数配置可能な長さになっており、栽培棚１３の奥行方向の長さは、栽培容器１６が一つだけ配置可能な長さになっている。
【００２０】
栽培棚１３の各段において、栽培容器１６が載置される載置部１３ａは、例えば、栽培棚１３の左右方向に延びるベルトコンベアであり、載置部１３ａに載置された栽培容器１６を栽培棚１３の左右方向に搬送可能になっている。したがって、栽培容器１６は、栽培棚１３に対して栽培棚１３の左右方向に移動可能に配置されている。そして、栽培容器１６は、載置部１３ａによって、例えば、栽培棚１３の左右方向の一端側の植物栽培空間１３ｋから栽培棚１３の左右方向の他端側で隣り合う位置の植物栽培空間１３ｋへ順に搬送される。
【００２１】
栽培棚１３の各段には、植物１５に対して光を照射する照明装置１７が設けられている。照明装置１７は、栽培棚１３の各段において、植物１５の上方であって、且つ植物１５に対して上下方向に重なる位置に配置されている。なお、図１では、説明の都合上、栽培棚１３の最も上段の照明装置１７のみ図示しており、栽培棚１３における最も上段以外の各段に配置されている照明装置１７の図示を省略している。
【００２２】
照明装置１７は、例えば発光ダイオード（ＬＥＤ）や蛍光灯等からなる。本実施形態では、照明装置１７は、柱状の蛍光灯をその長手方向が栽培棚１３の奥行方向に沿った方向に配置され、複数の蛍光灯を栽培棚１３の左右方向に並設した構成になっている。照明装置１７からは、植物１５の光合成に必要な所定波長の光が植物１５に向けて照射される。照明装置１７は点灯と消灯とに切り換え可能である。そして、照明装置１７を点灯させて植物１５に光を照射させたり、照明装置１７を消灯したりすることにより、植物１５が光合成を行う昼の時間と、光合成を行わない夜の時間とを人工的に作り出している。
【００２３】
次に、環境診断システム１９について説明する。
図２及び図３に示すように、環境診断システム１９は、植物栽培空間１３ｋの栽培環境情報を検出する検出部２１を含む診断ユニット２０を備えている。検出部２１は、温度を検出する温度センサ、湿度を検出する湿度センサ、照度を検出する日照センサ、二酸化炭素濃度を検出する二酸化炭素濃度センサ、気流を検出する気流センサ、養水分の状態を検出するｐＨセンサやＥＣセンサ等の複数のセンサ２１ａを含む。
【００２４】
また、検出部２１は、複数のセンサ２１ａを一括して制御可能であり、且つ複数のセンサ２１ａからの信号に基づいて栽培環境情報を検出する制御部２１ｂ（ＣＰＵ）を含む。制御部２１ｂは、各々の植物栽培空間１３ｋの環境に合わせて、各センサ２１ａの作動（各センサ２１ａのオンオフの切り換え）をコントロールし、各センサ２１ａからの信号に基づいて、各々の植物栽培空間１３ｋに必要な栽培環境情報を個別に検出（測定）するプログラムが予め記憶されている。そして、制御部２１ｂは、プログラムによって、温度、湿度、照度、二酸化炭素濃度、気流、養水分等の栽培環境情報を検出する。
【００２５】
また、環境診断システム１９は、検出部２１によって検出された栽培環境情報を管理する栽培環境管理装置２５（例えば、図１に示すノートパソコン等）を備えている。さらに、診断ユニット２０は、検出部２１によって検出された栽培環境情報を、栽培環境管理装置２５へ電波を用いて無線で伝送する無線伝送部２２を含む。そして、検出部２１によって検出された栽培環境情報は、無線伝送部２２によって栽培環境管理装置２５へ伝送される。栽培環境管理装置２５は、無線伝送部２２によって伝送された栽培環境情報を管理、分析する。
【００２６】
また、診断ユニット２０は、入出力ポート２０ｐを備えている。入出力ポート２０ｐは、接続線Ｌ１を介して栽培環境管理装置２５に接続可能である。また、入出力ポート２０ｐは、制御部２１ｂと電気的に接続されている。そして、入出力ポート２０ｐが、接続線Ｌ１を介して栽培環境管理装置２５に接続されている場合では、栽培環境管理装置２５から接続線Ｌ１及び入出力ポート２０ｐを介して制御部２１ｂへ制御ソフト等の制御情報が送信可能になっている。栽培環境管理装置２５から接続線Ｌ１及び入出力ポート２０ｐを介して制御部２１ｂへ制御ソフト等の制御情報が送信されると、制御部２１ｂに記憶されているプログラムを変更したり更新したりすることが可能になっている。例えば、制御部２１ｂに記憶されているプログラムを変更することで、診断ユニット２０を使用する環境に合わせてカスタマイズをすることが可能になっている。また、制御部２１ｂに記憶されているプログラムを更新することで、制御部２１ｂをバージョンアップ（性能アップ）させることが可能になっている。
【００２７】
栽培棚１３における各植物栽培空間１３ｋに対応する部位にはタグ２６がそれぞれ設置されている。検出部２１は、タグ２６からの位置情報を受信する位置情報受信部２３を備えている。位置情報受信部２３が受信した位置情報は、制御部２１ｂで処理され、無線伝送部２２によって栽培環境管理装置２５に伝送される。栽培環境管理装置２５は、無線伝送部２２によって伝送された位置情報に基づいて、診断ユニット２０の位置を検出する。よって、本実施形態では、栽培環境管理装置２５は、診断ユニット２０の位置を検出する位置検出部としても機能する。
【００２８】
診断ユニット２０は、検出部２１（複数のセンサ２１ａ、位置情報検出部２３及び制御部２１ｂ）及び無線伝送部２２に電力を供給する電源部２４を含む。そして、複数のセンサ２１ａ、制御部２１ｂ、無線伝送部２２及び位置情報受信部２３は、電源部２４から電力が供給されることにより駆動する。
【００２９】
診断ユニット２０は、検出部２１、無線伝送部２２及び電源部２４を収容する収容容器２０ａを有している。収容容器２０ａは、栽培容器１６と同じサイズである。収容容器２０ａは、栽培棚１３の各段において、栽培容器１６と並設した状態で載置部１３ａに定期的に載置されて、栽培棚１３の左右方向に移動する。よって、診断ユニット２０は、栽培棚１３に対して栽培棚１３の左右方向に移動可能に配置されており、栽培容器１６と並設した状態で任意の植物栽培空間１３ｋに対して栽培棚１３の左右方向に定期的に移動する。
【００３０】
次に、本実施形態の作用について説明する。
診断ユニット２０を、栽培棚１３の任意の植物栽培空間１３ｋに配置することにより、診断ユニット２０が配置された植物栽培空間１３ｋの栽培環境情報が検出部２１により検出される。さらに、診断ユニット２０が、栽培棚１３の左右方向に移動することにより、複数の植物栽培空間１３ｋに対して移動し、各植物栽培空間１３ｋの栽培環境情報が検出部２１により検出される。検出部２１の各種センサ２１ａで検出された温度、湿度、照度、二酸化炭素濃度、気流、養水分の状態などの環境情報や、タグ２６から位置情報受信部２３が受信した位置情報などは制御部２１ｂで処理され、時間情報などと共に無線伝送部２２によって栽培環境管理装置２５に伝送される。そして、栽培環境管理装置２５は、診断ユニット２０から伝送された温度、湿度、照度、二酸化炭素濃度や、それらが測定された位置や時間の情報を含めた「栽培環境情報」を分析して、植物栽培空間１３ｋが植物１５の栽培に適した環境であるか否かを診断する。
【００３１】
植物工場１１の栽培室１２内に植物栽培装置１０が導入されたときには、まず、栽培棚１３の各段の載置部１３ａに栽培容器１６を載置する前に、載置部１３ａに診断ユニット２０を載置し、診断ユニット２０を栽培棚１３の左右方向に移動させ、各植物栽培空間１３ｋの栽培環境情報を検出部２１により検出する。そして、栽培環境管理装置２５が、無線伝送部２２によって伝送された栽培環境情報に基づいて、各植物栽培空間１３ｋの栽培環境が植物１５の栽培に適した環境であるか否かを診断する。
【００３２】
栽培される植物１５には、個々に育成に最適な栽培条件がある。植物１５が光合成を行う昼間の時間の温度、湿度、照度、二酸化炭素濃度、気流などの環境条件や、光合成を行わない夜間の温度、湿度、照度、二酸化炭素濃度、気流などの環境条件、そして、昼間と夜間との時間設定、また、養水分の成分や濃度、量、液温、時間などの諸条件の管理も、植物１５を最適に育成させるためには必要な栽培条件である。
【００３３】
栽培室１２内に複数の栽培棚１３を設置して複数の栽培容器１６を用いて一度に大量の植物１５を栽培すると、栽培室１２内の栽培棚１３の位置や棚の上段、下段などの位置により、栽培容器１６が配置される植物栽培空間１３ｋの栽培環境に差が生じる。最適な栽培条件とは一致しない、栽培に適さない悪環境下で栽培された植物１５は生育が良くないことが多く、安定した植物生産ができない。環境診断システム１９は、任意の植物栽培空間１３ｋに移動可能で、全ての植物栽培空間１３ｋに対して診断ユニット２０を使って栽培環境情報を測定して栽培環境管理装置２５に送り、植物１５の最適な栽培条件と比較して栽培に適した環境であるか否かを診断することが可能で、植物１５の安定生産が実現できる。
【００３４】
上記実施形態では以下の効果を得ることができる。
（１）環境診断システム１９は、検出部２１と、検出部２１に電力を供給する電源部２４とを含む診断ユニット２０を備えている。診断ユニット２０は、任意の植物栽培空間１３ｋに対して移動可能に配置されている。これによれば、診断ユニット２０が、任意の植物栽培空間１３ｋに対して移動することにより、各植物栽培空間１３ｋの栽培環境情報を検出部２１により検出することができる。よって、従来技術のように、栽培室１２内の複数箇所にセンサ２１ａを複数設置する場合に比べて、各植物栽培空間１３ｋの栽培環境情報を精度良く検出することができる。
【００３５】
（２）検出部２１は、複数のセンサ２１ａと、複数のセンサ２１ａを一括して制御可能であり、且つ複数のセンサ２１ａからの信号に基づいて栽培環境情報を検出する制御部２１ｂとを含む。これによれば、例えば、制御部２１ｂは、各々の植物栽培空間１３ｋの環境に合わせて、各センサ２１ａの作動（各センサ２１ａのオンオフの切り換え）をコントロールし、各センサ２１ａからの信号に基づいて、各々の植物栽培空間１３ｋに必要な栽培環境情報を個別に検出（測定）することができる。また、制御部２１ｂに記憶されているプログラムを変更することで、診断ユニット２０を使用する環境に合わせてカスタマイズをすることが可能になる。さらには、制御部２１ｂに記憶されているプログラムを更新することで、制御部２１ｂをバージョンアップ（性能アップ）させることが可能になる。
【００３６】
（３）診断ユニット２０は、検出部２１によって検出された栽培環境情報を、栽培環境管理装置２５へ伝送する無線伝送部２２を含む。これによれば、検出部２１によって検出された栽培環境情報を栽培環境管理装置２５へスムーズに伝送することができ、栽培環境管理装置２５により栽培環境の管理、分析をスムーズに行うことができる。
【００３７】
（４）栽培棚１３における各植物栽培空間１３ｋに対応する部位にはタグ２６が設置されている。診断ユニット２０は、診断ユニット２０の位置を検出するために、タグ２６からの位置情報を受信する位置情報受信部２３を備えている。位置情報受信部２３が受信した位置情報は、検出部２１の各種センサ２１ａで検出された環境情報などと共に栽培環境管理装置２５に伝送される。これによれば、栽培環境管理装置２５は、各植物栽培空間１３ｋの栽培環境情報がそれぞれ把握可能になるため、栽培環境の制御を効率良く行うことができる。
【００３８】
（５）栽培容器１６は、栽培棚１３に対して栽培棚１３の左右方向に移動可能に配置されており、診断ユニット２０は、栽培容器１６と並設した状態で任意の植物栽培空間１３ｋに対して定期的に移動する。これによれば、植物１５の栽培を継続したまま、各植物栽培空間１３ｋの栽培環境情報を検出部２１により検出することができるため、植物１５の栽培を効率良く行うことができる。
【００３９】
（６）従来技術のように、栽培室１２内の複数箇所に複数のセンサ２１ａを設置することは、植物工場１１の栽培室１２内が大規模になるほど、センサ２１ａの数が増加していくため、設備費用が増大する。しかし、本実施形態では、診断ユニット２０を、栽培棚１３の左右方向に移動させるだけで、各植物栽培空間１３ｋの栽培環境情報を検出部２１により検出することができるため、センサ２１ａの数が増加することが無く、設備費用を抑えることができる。
【００４０】
（７）診断ユニット２０は、載置部１３ａにおける栽培棚１３の左右方向への搬送によって、栽培棚１３の左右方向に移動する。よって、診断ユニット２０は、載置部１３ａの駆動によって自動的に栽培棚１３の左右方向に移動するため、診断ユニット２０を手動で栽培棚１３の左右方向に移動させる必要が無く、各植物栽培空間１３ｋの栽培環境情報を自動的に検出することができる。
【００４１】
（８）センサ２１ａは、同じ種類のセンサ２１ａであったとしても、個々のセンサ２１ａによって検出の精度に誤差が生じる。よって、各植物栽培空間１３ｋにセンサ２１ａをそれぞれ設置する場合、個々のセンサ２１ａの検出にばらつきが生じることがあり、各植物栽培空間１３ｋの栽培環境情報を精度良く検出することができない虞がある。しかし、本実施形態では、診断ユニット２０が栽培棚１３の左右方向に移動することにより、一台の診断ユニット２０で、各植物栽培空間１３ｋの栽培環境情報を検出することができるため、各植物栽培空間１３ｋの栽培環境情報を精度良く検出することができる。
【００４２】
（９）診断ユニット２０は、栽培棚１３の各段において、栽培容器１６と並設した状態で載置部１３ａに定期的に載置される。よって、各植物栽培空間１３ｋの栽培環境情報が検出部２１により定期的に検出される。したがって、例えば、照明装置１７や空調装置１２ａ等の栽培環境を制御する装置に不具合が生じていないか否かを定期的に監視することが可能となり、装置の不具合を事前に検出することが可能となる。
【００４３】
なお、上記実施形態は以下のように変更してもよい。
・  図４に示すように、診断ユニット２０は、検出部２１（制御部２１ｂ）によって検出された栽培環境情報を記憶する記憶部２７を含んでいてもよい。記憶部２７は、複数のセンサ２１ａで検出された環境情報や位置情報受信部２３が受信した位置情報等を制御部２１ｂで処理して、時間情報などと共に保管する。この場合、診断ユニット２０は、無線伝送部２２を備えていてもよいし、無線伝送部２２を備えていなくてもよい。無線伝送部２２を備えていない場合、記憶部２７に保管された栽培環境情報は、例えば、入出力ポート２０ｐ及び接続線Ｌ１を介して栽培環境管理装置２５に送信される。
【００４４】
・  図５に示すように、栽培環境管理装置２５とは別の管理装置２５ａから接続線Ｌ２及び入出力ポート２０ｐを介して制御部２１ｂへ制御ソフト等の制御情報を送信するようにしてもよい。
【００４５】
・  図６に示すように、栽培容器１６は、栽培棚１３に対して固定して配置されており、診断ユニット２０が、栽培容器１６に隣接した状態で任意の植物栽培空間１３ｋに対して定期的に移動するようにしてもよい。栽培室１２内の床面には、診断ユニット２０における栽培容器１６に隣接した状態での任意の植物栽培空間１３ｋに対しての移動をガイドする一対のガイドレール２８が設けられている。診断ユニット２０には、駆動輪が設けられており、自身の駆動によって、栽培容器１６に隣接した状態で任意の植物栽培空間１３ｋに対して移動可能になっている。これによれば、栽培容器１６が、栽培棚１３に対して固定して配置されている場合であっても、診断ユニット２０が、栽培容器１６に隣接した状態で任意の植物栽培空間１３ｋに対して定期的に移動することにより、各植物栽培空間１３ｋの栽培環境情報を検出することができる。
【００４６】
・  実施形態において、診断ユニット２０の移動方向は、栽培棚１３の左右方向に限定されるものではない。例えば、栽培棚１３の奥行方向に栽培容器１６が複数並設されている構成であれば、診断ユニット２０は、栽培棚１３に対して栽培棚１３の奥行方向に移動可能に配置されていてもよい。また、診断ユニット２０が、栽培棚１３の上下方向に移動可能な構成にしてもよい。
【００４７】
・  実施形態において、栽培棚１３における各植物栽培空間１３ｋに対応する部位にタグ２６が設置されていなくてもよい。この場合、栽培環境管理装置２５は、例えば、無線伝送部２２から伝送される栽培環境情報の受信時間から、検出部２１が栽培環境情報を検出した位置を推定するようにしてもよい。
【００４８】
・  実施形態において、環境診断システム１９は、検出部２１により検出された栽培環境情報が異常な情報であった場合に、その栽培環境情報を検出した位置やその位置の環境状態等を報知する報知部をさらに備えてもよい。
【００４９】
・  実施形態において、載置部１３ａが、載置部１３ａに載置された栽培容器１６や診断ユニット２０を栽培棚１３の左右方向に搬送可能になっていなくてもよい。例えば、栽培容器１６や診断ユニット２０の収容容器２０ａに駆動輪を設けて、栽培容器１６や診断ユニット２０が、自身の駆動によって栽培棚１３の左右方向に移動するようにしてもよい。
【００５０】
・  実施形態において、収容容器２０ａが、栽培容器１６と同じサイズでなくてもよく、収容容器２０ａが、栽培容器１６よりも小さくてもよいし、大きくてもよい。例えば、収容容器２０ａを栽培容器１６よりも小さくし、栽培容器１６と同じサイズの容器に複数の収容容器２０ａを配置してもよい。要は、一つの容器に診断ユニット２０が複数搭載されている構成でもよい。例えば、収容容器２０ａのサイズを、一つの植物１５と同じサイズにし、一つの植物１５に対応する診断ユニット２０を設ける構成にしてもよい。これによれば、一つ一つの植物１５が配置される植物栽培空間１３ｋの栽培環境情報を検出することができる。
【００５１】
・  実施形態において、診断ユニット２０を手動で栽培棚１３の左右方向に移動させるようにしてもよい。
・  実施形態において、検出部２１として、例えば、カメラを用いてもよい。そして、栽培環境管理装置２５が、カメラによって撮影された栽培環境情報である画像に基づいて、各植物栽培空間１３ｋの栽培環境が植物１５の栽培に適した環境であるか否かを分析するようにしてもよい。
【００５２】
・  実施形態において、植物栽培装置１０に照明装置１７を設けずに、例えば、太陽光を植物１５に照射するようにしてもよい。
・  実施形態において、無線伝送部２２は、電波以外に、光、電磁波等を用いてもよい。
【００５３】
・  実施形態において、検出部２１によって検出された栽培環境情報を、入出力ポート２０ｐ及び接続線Ｌ１を介して栽培環境管理装置２５へ送信するようにしてもよい。この場合、診断ユニット２０に、無線伝送部２２が設けられていてもよいし、設けられていなくてもよい。
【００５４】
・  実施形態において、無線伝送部２２を用いて、制御ソフト等の制御情報を、栽培環境管理装置２５から制御部２１ｂへ送信するようにしてもよい。
・  実施形態において、載置部１３ａが、植物１５を栽培するために必要な栽培養液で満たされたパレットであってもよい。そして、栽培容器１６が、例えば、発泡スチロール材等で形成されており、栽培容器１６が栽培養液の中で浮いた状態で、パレット内を浮遊しながら移動するようになっていてもよい。この場合、複数並設された栽培容器１６は、パレットの片側から外力によって押されて任意の植物栽培空間１３ｋに対して移動可能になっている。そして、診断ユニット２０が、栽培容器１６と並設した状態で任意の植物栽培空間１３ｋに対して定期的に移動するようにしてもよい。
【符号の説明】
【００５５】
１２…栽培室、１３…栽培棚、１３ｋ…植物栽培空間、１６…栽培容器、１９…環境診断システム、２０…診断ユニット、２１…検出部、２１ａ…センサ、２１ｂ…制御部、２２…無線伝送部、２３…位置情報受信部、２４…電源部、２５…栽培環境管理装置、２７…記憶部。
【図１】
2018191650.tif 000003
【図２】
2018191650.tif 000004
【図３】
2018191650.tif 000005
【図４】
2018191650.tif 000006
【図５】
2018191650.tif 000007
【図６】
2018191650.tif 000008